【手続補正書】
【提出日】平成20年10月20日(2008.10.20)
【手続補正１】
【補正対象書類名】特許請求の範囲
【補正対象項目名】全文
【補正方法】変更
【補正の内容】
【特許請求の範囲】
【請求項１】
投入口より投入された遊技媒体を検知して検知信号を出力するセンサと、機械に貯留されている遊技媒体の貯留数を更新しつつ記憶する機能を有し前記検知信号の入力に応じて前記貯留数を加算して更新する演算記憶手段と、前記貯留数の精算を遊技者が要求するための精算スイッチと、前記精算スイッチによる精算要求を受けて前記演算記憶手段が記憶する遊技媒体の貯留数を精算処理する精算処理手段とを備える遊技装置において、
前記精算スイッチによる精算要求があったとき、その精算要求が正常であるかどうかを判別する判別手段と、前記判別手段による判別結果を出力する出力手段とをさらに備えており、前記判別手段は、前記センサの検知信号出力に引き続いて前記精算要求があったとき、前記精算要求が正常でないと判断することを特徴とする遊技装置。
【請求項２】
投入口より投入された遊技媒体を検知して検知信号を出力するセンサと、機械に貯留されている遊技媒体の貯留数を更新しつつ記憶する機能を有し前記検知信号の入力に応じて前記貯留数を加算して更新する演算記憶手段と、前記貯留数の精算を遊技者が要求するための精算スイッチと、前記精算スイッチによる精算要求を受けて前記演算記憶手段が記憶する遊技媒体の貯留数を精算処理する精算処理手段とを備える遊技装置において、
前記精算スイッチによる精算要求があったとき、その精算要求が正常であるかどうかを判別する判別手段と、前記判別手段による判別結果を出力する出力手段とをさらに備えており、前記判別手段は、ゲーム実行回数を計数する第１の計数手段と、精算要求があった回数を計数する第２の計数手段とを含み、第１の計数手段による計数値が所定数に達する間に第２の計数手段による計数値が所定値に達したとき、前記精算要求が正常でないと判断することを特徴とする遊技装置。
【請求項３】
投入口より投入された遊技媒体を検知して検知信号を出力するセンサと、機械に貯留されている遊技媒体の貯留数を更新しつつ記憶する機能を有し前記検知信号の入力に応じて前記貯留数を加算して更新する演算記憶手段と、前記貯留数の精算を遊技者が要求するための精算スイッチと、前記精算スイッチによる精算要求を受けて前記演算記憶手段が記憶する遊技媒体の貯留数を精算処理する精算処理手段とを備える遊技装置において、
前記精算スイッチによる精算要求があったとき、その精算要求が正常であるかどうかを判別する判別手段と、前記判別手段による判別結果を出力する出力手段とをさらに備えており、前記判別手段は、ゲーム実行回数を計数する計数手段を含み、精算要求から次の精算要求までの間の前記計数手段による計数値が所定値以下のとき、精算処理による遊技媒体の放出があったことを条件として、前記精算要求が正常でないと判断することを特徴とする遊技装置。
【請求項４】
投入口より投入された遊技媒体を検知して検知信号を出力するセンサと、機械に貯留されている遊技媒体の貯留数を更新しつつ記憶する機能を有し前記検知信号の入力に応じて前記貯留数を加算して更新する演算記憶手段と、前記貯留数の精算を遊技者が要求するための精算スイッチと、前記精算スイッチによる精算要求を受けて前記演算記憶手段が記憶する遊技媒体の貯留数を精算処理する精算処理手段とを備える遊技装置において、
前記精算スイッチによる精算要求があったとき、その精算要求が正常であるかどうかを判別する判別手段と、前記判別手段による判別結果を出力する出力手段とをさらに備えており、前記判別手段は、時間を計測する計時手段を含み、精算要求から次の精算要求までの間の前記計時手段による計時値が所定値以下のとき、前記貯留数が所定の基準値より大きいことを条件として、前記精算要求が正常でないと判断することを特徴とする遊技装置。
【請求項５】
投入口より投入された遊技媒体を検知して検知信号を出力するセンサと、機械に貯留されている遊技媒体の貯留数を更新しつつ記憶する機能を有し前記検知信号の入力に応じて前記貯留数を加算して更新する演算記憶手段と、前記貯留数の精算を遊技者が要求するための精算スイッチと、前記精算スイッチによる精算要求を受けて前記演算記憶手段が記憶する遊技媒体の貯留数を精算処理する精算処理手段とを備える遊技装置において、
前記精算スイッチによる精算要求があったとき、その精算要求が正常であるかどうかを判別する判別手段と、前記判別手段による判別結果を出力する出力手段とをさらに備えており、前記判別手段は、ボーナスゲームの進行中にセンサの検知信号出力と精算スイッチによる精算要求とがあったとき、前記精算要求が正常でないと判断することを特徴とする遊技装置。
【請求項６】
請求項１〜５のいずれかに記載された遊技装置であって、前記出力手段が精算スイッチによる精算要求が正常でないと判断した判別結果を出力したとき警報を発する警報手段をさらに備えて成る遊技装置。
【請求項７】
前記判別手段は、遊技機本体と、遊技機本体に対して遊技媒体の貸出処理を実行する遊技媒体貸出装置とのいずれか一方に設けられている請求項１〜６のいずれかに記載された遊技装置。
【請求項８】
投入口より投入された遊技媒体を検知して検知信号を出力するセンサと、機械に貯留されている遊技媒体の貯留数を更新しつつ記憶する機能を有し前記検知信号の入力に応じて前記貯留数を加算して更新する演算記憶手段と、前記貯留数の精算を遊技者が要求するための精算スイッチと、前記精算スイッチによる精算要求を受けて前記演算記憶手段が記憶する遊技媒体の貯留数を精算処理する精算処理手段とを備えて成る複数台の遊技装置と、各遊技装置に接続されている管理装置とから成り、前記管理装置には、各遊技装置において、前記精算スイッチによる精算要求があったとき、その精算要求が正常であるかどうかを判別する判別手段と、前記判別手段による判別結果を出力する出力手段とが設けられており、前記判別手段は、前記センサの検知信号出力に引き続いて前記精算要求があったとき、前記精算要求が正常でないと判断することを特徴とする遊技場システム。
【請求項９】
投入口より投入された遊技媒体を検知して検知信号を出力するセンサと、機械に貯留されている遊技媒体の貯留数を更新しつつ記憶する機能を有し前記検知信号の入力に応じて前記貯留数を加算して更新する演算記憶手段と、前記貯留数の精算を遊技者が要求するための精算スイッチと、前記精算スイッチによる精算要求を受けて前記演算記憶手段が記憶する遊技媒体の貯留数を精算処理する精算処理手段とを備えて成る複数台の遊技装置と、各遊技装置に接続されている管理装置とから成り、前記管理装置には、各遊技装置において、前記精算スイッチによる精算要求があったとき、その精算要求が正常であるかどうかを判別する判別手段と、前記判別手段による判別結果を出力する出力手段とが設けられており、前記判別手段は、ゲーム実行回数を計数する第１の計数手段と、精算要求があった回数を計数する第２の計数手段とを含み、第１の計数手段による計数値が所定数に達する間に第２の計数手段による計数値が所定値に達したとき、前記精算要求が正常でないと判断することを特徴とする遊技場システム。
【請求項１０】
投入口より投入された遊技媒体を検知して検知信号を出力するセンサと、機械に貯留されている遊技媒体の貯留数を更新しつつ記憶する機能を有し前記検知信号の入力に応じて前記貯留数を加算して更新する演算記憶手段と、前記貯留数の精算を遊技者が要求するための精算スイッチと、前記精算スイッチによる精算要求を受けて前記演算記憶手段が記憶する遊技媒体の貯留数を精算処理する精算処理手段とを備えて成る複数台の遊技装置と、各遊技装置に接続されている管理装置とから成り、前記管理装置には、各遊技装置において、前記精算スイッチによる精算要求があったとき、その精算要求が正常であるかどうかを判別する判別手段と、前記判別手段による判別結果を出力する出力手段とが設けられており、前記判別手段は、ゲーム実行回数を計数する計数手段を含み、精算要求から次の精算要求までの間の前記計数手段による計数値が所定値以下のとき、前記精算要求が正常でないと判断することを特徴とする遊技場システム。
【請求項１１】
投入口より投入された遊技媒体を検知して検知信号を出力するセンサと、機械に貯留されている遊技媒体の貯留数を更新しつつ記憶する機能を有し前記検知信号の入力に応じて前記貯留数を加算して更新する演算記憶手段と、前記貯留数の精算を遊技者が要求するための精算スイッチと、前記精算スイッチによる精算要求を受けて前記演算記憶手段が記憶する遊技媒体の貯留数を精算処理する精算処理手段とを備えて成る複数台の遊技装置と、各遊技装置に接続されている管理装置とから成り、前記管理装置には、各遊技装置において、前記精算スイッチによる精算要求があったとき、その精算要求が正常であるかどうかを判別する判別手段と、前記判別手段による判別結果を出力する出力手段とが設けられており、前記判別手段は、時間を計測する計時手段を含み、精算要求から次の精算要求までの間の前記計時手段による計時値が所定値以下のとき、前記精算要求が正常でないと判断することを特徴とする遊技場システム。
【請求項１２】
投入口より投入された遊技媒体を検知して検知信号を出力するセンサと、機械に貯留されている遊技媒体の貯留数を更新しつつ記憶する機能を有し前記検知信号の入力に応じて前記貯留数を加算して更新する演算記憶手段と、前記貯留数の精算を遊技者が要求するための精算スイッチと、前記精算スイッチによる精算要求を受けて前記演算記憶手段が記憶する遊技媒体の貯留数を精算処理する精算処理手段とを備えて成る複数台の遊技装置と、各遊技装置に接続されている管理装置とから成り、前記管理装置には、各遊技装置において、前記精算スイッチによる精算要求があったとき、その精算要求が正常であるかどうかを判別する判別手段と、前記判別手段による判別結果を出力する出力手段とが設けられており、前記判別手段は、ボーナスゲームの進行中にセンサの検知信号出力と精算スイッチによる精算要求とがあったとき、前記精算要求が正常でないと判断することを特徴とする遊技場システム。
【手続補正２】
【補正対象書類名】明細書
【補正対象項目名】発明の名称
【補正方法】変更
【補正の内容】
【発明の名称】遊技装置および遊技場システム
【手続補正３】
【補正対象書類名】明細書
【補正対象項目名】００１０
【補正方法】変更
【補正の内容】
【００１０】
この発明は、上記問題に着目してなされたもので、たとえ遊技者が不正用具を用いて精算処理を行っても、その不正を検出して遊技媒体が詐取されるのを防止できる遊技装置および遊技場システムを提供することを目的とする。
【手続補正４】
【補正対象書類名】明細書
【補正対象項目名】００１１
【補正方法】変更
【補正の内容】
【００１１】
この発明は、投入口より投入された遊技媒体を検知して検知信号を出力するセンサと、機械に貯留されている遊技媒体の貯留数を更新しつつ記憶する機能を有し前記検知信号の入力に応じて前記貯留数を加算して更新する演算記憶手段と、前記貯留数の精算を遊技者が要求するための精算スイッチと、前記精算スイッチによる精算要求を受けて前記演算記憶手段が記憶する遊技媒体の貯留数を精算処理する精算処理手段とを備えた遊技装置において、前記精算スイッチによる精算要求があったとき、その精算要求が正常であるかどうかを判別する判別手段と、前記判別手段による判別結果を出力する出力手段とをさらに備えたものであり、前記判別手段は、前記センサの検知信号出力に引き続いて前記精算要求があったとき、前記精算要求が正常でないと判断することを特徴としている。
【手続補正５】
【補正対象書類名】明細書
【補正対象項目名】００１３
【補正方法】削除
【補正の内容】
【手続補正６】
【補正対象書類名】明細書
【補正対象項目名】００１５
【補正方法】変更
【補正の内容】
【００１５】
上記した構成の遊技装置において、投入口より遊技媒体が投入されると、センサがこれを検知して検知信号を出力する。演算記憶手段は前記検知信号の入力に応じて貯留数を加算して更新する。遊技者が精算スイッチを操作して前記貯留数の精算を要求すると、その精算要求を受けて精算処理手段は前記演算記憶手段が記憶する遊技媒体の貯留数を精算処理する。
不正用具によるメダルの疑似投入が行われたときにも同様に貯留数が加算されて更新されるが、不正の場合は、その直後に精算スイッチが操作されるなど、精算要求時期が不自然となる。判別手段は、精算スイッチによる精算要求があったとき、前記センサの検知信号出力に引き続いて前記精算要求があったかどうかによって精算要求が正常であるかどうかを判別し、その判別結果が出力手段より出力される。
【手続補正７】
【補正対象書類名】明細書
【補正対象項目名】００１６
【補正方法】削除
【補正の内容】
【手続補正８】
【補正対象書類名】明細書
【補正対象項目名】００１８
【補正方法】変更
【補正の内容】
【００１８】
この発明の判別手段は、上記した実施態様の他にも種々のものが考えられる。実施態様のその二は、ゲーム実行回数を計数する第１の計数手段と、精算要求があった回数を計数する第２の計数手段とを備えたものであり、第１の計数手段による計数値が所定数（例えば１０回）に達する間に第２の計数手段による計数値が所定値（例えば５回）に達したとき、前記精算要求が正常でないと判断する。
【手続補正９】
【補正対象書類名】明細書
【補正対象項目名】００２２
【補正方法】変更
【補正の内容】
【００２２】
上記した実施態様のうち、その一、三、四の各実施態様については後で詳述する。また、前記判別手段は、二の実施態様については、精算処理による遊技媒体の放出があったことを条件として、三の実施態様については、貯留数が所定の基準値より大きいことを条件として、それぞれ前記精算要求が正常でないと判断する。
【手続補正１０】
【補正対象書類名】明細書
【補正対象項目名】００２５
【補正方法】変更
【補正の内容】
【００２５】
この発明による遊技場システムは、前記したセンサ、演算記憶手段、精算スイッチ、および精算処理手段を備えた複数台の遊技装置と、各遊技装置に接続されている管理装置とから成るものであり、前記管理装置には、各遊技装置において、前記精算スイッチによる精算要求があったとき、その精算要求が正常であるかどうかを判別する判別手段と、前記判別手段による判別結果を出力する出力手段とが設けられている。
前記判別手段の実施態様のその一は、前記センサの検知信号出力に引き続いて前記精算要求があったとき、前記精算要求が正常でないと判断することを特徴とする。
前記判別手段の実施態様のその二は、ゲーム実行回数を計数する第１の計数手段と、精算要求があった回数を計数する第２の計数手段とを含み、第１の計数手段による計数値が所定数に達する間に第２の計数手段による計数値が所定値に達したとき、前記精算要求が正常でないと判断することを特徴とする。
前記判別手段の実施態様のその三は、ゲーム実行回数を計数する計数手段を含み、精算要求から次の精算要求までの間の前記計数手段による計数値が所定値以下のとき、前記精算要求が正常でないと判断することを特徴とする。
前記判別手段の実施態様のその四は、時間を計測する計時手段を含み、精算要求から次の精算要求までの間の前記計時手段による計時値が所定値以下のとき、前記精算要求が正常でないと判断することを特徴とする。
前記判別手段の実施態様のその五は、ボーナスゲームの進行中にセンサの検知信号出力と精算スイッチによる精算要求とがあったとき、前記精算要求が正常でないと判断することを特徴とする。
この遊技場システムでは、管理装置が全ての遊技装置についての不正判別を行うもので、いずれかの遊技装置において精算要求があったとき、管理装置は、その精算要求が正常であるかどうかを判別する。